(57)【特許請求の範囲】
【請求項１】
所定のプラントの制御を行なうための所定の機器を納めるプラントコンテナであって、
プラントコンテナに対して取り外し自在に取り付けられた側壁と、
プラントコンテナの上縁に配置され、当該プラントコンテナの支持構造体を構成すると共に、当該プラントコンテナに対する側壁の取り付け構造を構成する横支柱と、
を備え、
当該横支柱には、当該横支柱の上方を覆う所定の止水手段を取り付けるための取り付け部を設け、この取り付け部を、当該横支柱の上面よりも下方に形成したことを特徴とするプラントコンテナ。
【請求項２】
側壁の上面には、横支柱側に突出する支持脚を設け、
横支柱には、支持脚を受け入れることにより、側壁を吊り持ち支持する受け入れ部を形成したこと、
を特徴とする請求項１に記載のプラントコンテナ。
【請求項３】
側壁の側方には、プラントコンテナの側縁の縦支柱を着脱自在に配置したことを特徴とする請求項１または２に記載のプラントコンテナ。
【発明の詳細な説明】
【０００１】
【発明の属する技術分野】
本発明は、各種のプラントの周囲に配置され、このプラントの制御を行なうための所定の機器を納めるプラントコンテナに関し、特に、複数のプラントコンテナを相互に連結することに関する。
【０００２】
【従来の技術】
火力発電所や原子力発電所等の各種プラントにおいては、その発電設備等を制御するための多数の制御機器を配置する必要がある。このため、一般には、プラントの周辺に鉄筋コンクリート構造やプレハブ構造の建屋を設置し、この建屋の内部に、各種の制御機器を設置していた。
【０００３】
しかし、このように建屋を設置するためには、長時間を要するために好ましくない。このため、近年では、建屋を設置する代わりに、プラントコンテナを設置することが行なわれている。このプラントコンテナは、工場で組み立てられ、その内部に制御機器が取り付けられた後、通常の貨物コンテナと同様に搬送されて、プラントの周囲に据え付けられる。このようなプラントコンテナは、工場内で集中的に組み立て等することができるので、建屋を設置する場合に比べて、時間やコストを低減することができる。
【０００４】
このような従来のプラントコンテナの内部には、制御機器を設置するスペースの他、当該制御機器の盤面を開閉したり、作業員が作業をする通路スペースが必要になる。しかし、１台のプラントコンテナによって得られる内部スペースには、当然に限界があるため、１台のプラントコンテナで足りない場合には、複数のプラントコンテナを並設していた。
【０００５】
【発明が解決しようとする課題】
しかしながら、このように複数のプラントコンテナを並設した場合には、それぞれのプラントコンテナに通路スペースが設けられることになる。したがって、プラントコンテナ全体の設置スペースに対して、制御機器を設置することのできるスペースが狭くなってしまい、スペース効率が悪いという問題があった。
【０００６】
本発明は上記問題に鑑みてなされたもので、プラントコンテナを並設する際のスペース効率を向上させることのできる、プラントコンテナを提供することを目的としている。
【０００７】
【課題を解決するための手段】
このような目的を達成するため、本発明に係るプラントコンテナは、所定のプラントの制御を行なうための所定の機器を納めるプラントコンテナであって、プラントコンテナに対して取り外し自在に取り付けられた側壁と、プラントコンテナの上縁に配置され、当該プラントコンテナの支持構造体を構成すると共に、当該プラントコンテナに対する側壁の取り付け構造を構成する横支柱とを備えたことを特徴とする。
【０００８】
この構成によれば、プラントコンテナの側壁を取り外すことができるので、複数のプラントコンテナを隣接配置して、これらの内部空間を連通させて共有することができる。したがって、通路スペースを共有すること等ができ、スペース効率を向上させることができる。
特に、支持構造を構成する横支柱を、取り付け構造としても利用しているので、両構造を別個に設ける必要がなく、コスト低減や重量低減を図ることができる。
【０００９】
また、本発明に係るプラントコンテナは、前記プラントコンテナにおいて、側壁の上面には、横支柱側に突出する支持脚を設け、横支柱には、支持脚を受け入れることにより、側壁を吊り持ち支持する受け入れ部を形成したことを特徴とする。
【００１０】
この構成によれば、側壁が横支柱の受け入れ部に受け入れられ、吊り持ち支持されているので、側壁を側方にスライドさせることができ、この側壁を容易に取り外すことができる。
【００１１】
また、本発明に係るプラントコンテナは、前記プラントコンテナにおいて、側壁の側方には、プラントコンテナの側縁の縦支柱を着脱自在に配置したことを特徴とする。
【００１２】
この構成によれば、側壁の側方に縦支柱が配置されているので、この縦支柱によって側壁の脱落等を防止することができる。また、一方、この縦支柱を取り外すことができるので、側壁の規制を容易に解除して、その取り外しを行なうことができる。
【００１３】
また、本発明に係るプラントコンテナは、前記プラントコンテナにおいて、横支柱には、当該横支柱の上方を覆う所定の止水手段を取り付けるための取り付け部を設け、この取り付け部を、横支柱の上面よりも下方に形成したことを特徴とする。
【００１４】
この構成によれば、止水手段によって横支柱の上方が覆われるので、複数台のプラントコンテナを連結した場合にも、この連結部から雨水等が浸入することを防止することができる。特に、取り付け部が横支柱の上面よりも下方に形成されているので、プラントコンテナを多段積みした場合には、上下のプラントコンテナの横支柱が相互に接触する一方、この取り付け部は押し潰されることがないので、その破損等を防止することができる。
【００１５】
また、本発明はプラントコンテナの連結方法に関するものであり、前記プラントコンテナの連結方法は、複数のプラントコンテナを相互に連結するためのプラントコンテナの連結方法であって、各プラントコンテナの側壁を取り外す工程と、各プラントコンテナを、その側壁が取り外された側部同士を対抗させるように隣接させる工程と、各プラントコンテナを相互に連結する工程と、各プラントコンテナの連結部に所定の止水手段を取り付ける工程と、を順次行なうことを特徴とする。
【００１６】
この方法によれば、各プラントコンテナの側壁を取り外し、両者を連結させることができるので、これらの内部空間を連通させて共有することができる。したがって、通路スペースを共有すること等ができ、スペース効率を向上させることができる。また、連結部に止水手段を取り付けることにより、連結部からの雨水等の浸入を防止することができる。
【００１７】
【発明の実施の形態】
以下に、本発明にかかるプラントコンテナおよびプラントコンテナの連結方法の実施の形態を図面に基づいて詳細に説明する。なお、この実施の形態によりこの発明が限定されるものではない。
【００１８】
図１は本実施の形態にかかるプラントコンテナの全体斜視図、図２は図１のプラントコンテナから１枚の側壁を取り外した状態を示す斜視図である。
本実施の形態は概略的に、プラントコンテナの側壁を取り外し可能とし、隣接するプラントコンテナの通路スペースを共有することのできるプラントコンテナおよびプラントコンテナの連結方法に関するものである。
【００１９】
図１において本実施の形態にかかるプラントコンテナ１は、各縁部の横支柱２、３および縦支柱４にて枠組みされた支持構造体に、天井部５、底部６、幅狭の一対の側部７、および、幅広の一対の側部８を収めることにより、中空長方形状に構成されている。そして、その中空内部には、従来と同様に制御機器と通路スペースとを設けることができる。
【００２０】
ここで、横支柱３、天井部５、底部６、および、幅狭の一対の側部７のそれぞれと、これら相互の固定構造については、特記する構造を除いて従来と同様に構成することができる。一方、幅広の一対の側部８は、プラントコンテナ１から取り外し可能に構成されており、横支柱２および縦支柱４は、この取り外しを可能とするために従来と異なる構造にて構成されている。
【００２１】
以下、幅広の一対の側部８、横支柱２、および、縦支柱４を中心に説明する。図３〜５はプラントコンテナ１の一隅部の拡大斜視図であり、図３は側壁を取り付けた状態、図４は縦支柱４を取り外した状態、図５は側壁を取り外した状態をそれぞれ示す。なお、これら側部８等の構造は、プラントコンテナ１の長手方向に沿った中心軸を中心として左右および上下対称であり、かつ、短手方向に沿った中心軸を中心として左右対称に構成されているため、図３〜５に示す部分以外の構成については説明を省略する。
【００２２】
各側部８は、図１、２に示すように、相互に同一形状の側壁１０を３枚並設して構成されている。各側壁１０は、図２〜５に示すように、パネル状に形成されており、上下の鋼製の横フレーム１１の間に、グラスウール板１２と、デッキプレート１３とを固定して構成されている。この横フレーム１１には、上下に突出する複数の支持脚１４が設けられており、各支持脚１４の先端には、図５に示すように、当該支持脚１４よりも大径の頭部１５が一体に形成されている。ここで、各側壁１０の連結は、公知の止め具構造等を用いた任意の構造にて行なうことができるが、各側壁１０の間にはシール材を配置して、各側壁１０の相互間における水密性や気密性を維持することが好ましい。なお、側壁１０の並設数は任意に変更することができる。
【００２３】
また、図５に示すように、横支柱２は、鋼製の中空角柱状に形成されており、その下面には、その長手方向に沿って、かつ、その長手方向の全長に渡って、スリット状の受け入れ部１６が形成されている。この受け入れ部１６は、側壁１０の支持脚１４を受け入れると共に、受け入れた支持脚１４の頭部１５を脱落不能とするものであり、支持脚１４の外径より若干大きな径であって、かつ、頭部１５より小さな径となるように形成されている。
また、横支柱２の左右の端部には、縦支柱４の後述するボルト部１９を受け入れるためのスリット１７が形成されている。
【００２４】
また、図４に示すように、縦支柱４には、その端部近傍位置に、横支柱２の方に突出する挿入部１８が形成されている。この挿入部１８は、横支柱２の内部に挿入されるもので、当該横支柱２の内径よりも若干幅狭の角柱状に形成されている。そして、図４に示すように、この挿入部１８を横支柱２の側方から挿入して、図３に示すように、この横支柱２の内部に収めることにより、これら縦支柱４と横支柱２とを相互に連係することができると共に、横支柱２の端部を塞いで、横支柱２から側壁１０が脱落等することが防止される。すなわち、縦支柱４は、側壁１０のストッパーとして機能する。逆に、図５に示すように、縦支柱４を横支柱２から取り外すことによって、横支柱２の端部が開放されるので、側壁１０をスライドしてプラントコンテナ１から取り外すことができる。
【００２５】
この縦支柱４の挿入部１８には、外側に突出するボルト部１９が溶接等にて固定されている。そして、図３に示すように、縦支柱４を横支柱２の内部に収めた状態において、横支柱２のスリット１７を介してボルト部１９が外側に突出する。そして、このボルト部１９に対応する貫通孔を有する固定プレート２０と、ナット２１とを用いて、縦支柱４と横支柱２とを相互に強固に連結することができる。特に、この場合には、一般のボルトをネジ込む等する必要がないので、固定が容易である。
ただし、これら縦支柱４と横支柱２との連結は、この他の任意の構造で行なうことができ、例えば、挿入部１８を省略し、縦支柱４を横支柱２の側方に配置して、その側面に連結金具を配置して、ボルト等を用いて両者を固定してもよい。
【００２６】
次に、このように構成されたプラントコンテナ１の連結方法について説明する。図６はプラントコンテナ１の連結方法を示す概念図である。なお、図６においては２台のプラントコンテナ１Ａ、１Ｂを連結する例を示すが、任意の複数台の連結を同様に行なうことができる。
【００２７】
まず、図６（ａ）に示すように、１台のプラントコンテナ１Ａを、プラントの近傍の所定位置に仮置きする。次に、図６（ｂ）に示すように、このプラントコンテナ１Ａの側壁１０を取り外す。この取り外しは、上述したように、まず、縦支柱４を取り外した後、側壁１０をスライドさせることによって行なうことができる。ここで、幅広の一対の側部８のうち、通路スペースに位置する側部８の側壁１０が取り外される（図６において、符号２２は制御機器、符号２３は通路スペースを示す）。なお、側壁１０の取り外し枚数は、連結形態に応じて任意に変更することができ、３枚全部を取り外すこともでき、あるいは、任意の一部のみを取り外すこともできる。また、当然のことながら、プラントコンテナ１Ａや側壁１０の移動には、必要に応じてクレーンを用いることができる。
【００２８】
次いで、図６（ｃ）に示すように、他の１台のプラントコンテナ１Ｂを、先のプラントコンテナ１Ａの側方に仮置きし、その側壁１０を取り外す。そして、図６（ｄ）に示すように、その側壁１０が取り外された側部同士を対抗させるように、２台のプラントコンテナ１Ａ、１Ｂを隣接させる。そして、最後に、これら両プラントコンテナ１Ａ、１Ｂを任意の構造にて相互に連結すると共に、この連結部に後述する止水プレート２５を取り付けて、連結が完了する。このように連結を行なうことにより、図６（ｄ）に示すように、２台のプラントコンテナ１Ａ、１Ｂにおいて通路スペース２３を共有することができ、その分だけ、制御機器２２の配置スペースを広くとることができる。
【００２９】
最後に、上述の止水プレート２５について説明する。本実施形態のプラントコンテナ１は、その内部に制御機器を収めるものであるため、プラントコンテナ１の内部に雨水等が浸入することを確実に防止する必要がある。ただし、プラントコンテナ１は、搬送中には一般の貨物コンテナと同様に多段積みされることが多いため、この多段積みが可能となるように、雨水等の防止構造を構成する必要がある。
【００３０】
図７は、これらの点を考慮して構成された止水構造の縦断面図である。この図７において、連結のために隣接配置された一対の横支柱２（連結部）の相互間には、シール材２４が挟持されており、また、この連結部の上方には、止水プレート２５が設けられている。この止水プレート２５は、連結部からの水の浸入を防止するもので、連結部の全長に沿って、かつ、連結部の全長に渡って設けられている。この止水プレート２５の材質は任意であるが、例えば、デッキプレートと同様の鋼板にて構成することができる。
【００３１】
ここで、横支柱２の側方には、取り付け部２ａが形成されている。この取り付け部２ａは、横支柱２の側面から突出して、縦断面略Ｌ字状に形成されており、その内部に止水プレート２５の端部２５ａを嵌め込み等にて固定することによって、この止水プレート２５を横支柱２に取り付けることができる。ここでは、取り付け部２ａを、横支柱２の全長に沿って、かつ、横支柱２の全長に渡って設けているが、少なくとも止水プレート２５を支持することのできる箇所に設けていればよく、例えば、ピース状に形成して、横支柱２の側方に所定間隔で配置してもよい。
【００３２】
この取り付け部２ａは、横支柱２の上面よりも下方に形成されている。すなわち、取り付け部２ａの上端は、横支柱２の上面よりも下方に位置しており、このため、プラントコンテナ１を多段積みした場合には、上下のプラントコンテナ１の横支柱２のみが相互に接触し、取り付け部２ａは押し潰されることがないので、その破損等を防止することができる。
【００３３】
さて、これまで本発明の実施の形態について説明したが、本発明は、上述した実施の形態以外にも、上記請求の範囲に記載した技術的思想の範囲内において種々の異なる実施の形態にて実施されてよいものである。
例えば、上記の実施形態においては、幅広の側部８の側壁１０のみを取り外し可能としたが、幅狭の側部７を同様に取り外し可能に構成してもよい。
また、側壁１０の全てでなく、一部のみを取り外し可能としてもよく、あるいは、側壁の上部や下部のみを取り外し可能としてもよい。
その他、支持構造を構成する横支柱を取り付け構造として利用する限りにおいて、側壁の取り外し構造は任意に変更することができる。例えば、横支柱に対して、側壁をボルト止めにて着脱自在に固定してもよい。
【００３４】
【発明の効果】
以上に説明したように、本発明にかかるプラントコンテナによれば、プラントコンテナの側壁を取り外すことができるので、通路スペースを共有すること等ができ、スペース効率を向上させることができる。特に、支持構造を構成する横支柱を、取り付け構造としても利用しているので、両構造を別個に設ける必要がなく、コスト低減や重量低減を図ることができる。
【００３５】
また、本発明にかかるプラントコンテナによれば、側壁が横支柱の受け入れ部に受け入れられ、吊り持ち支持されているので、側壁を側方にスライドさせることができ、この側壁を容易に取り外すことができる。
【００３６】
また、本発明にかかるプラントコンテナによれば、側壁の側方に縦支柱４が配置されているので、この縦支柱によって側壁の脱落等を防止することができる。また、一方、この縦支柱を取り外すことができるので、側壁の規制を容易に解除して、その取り外しを行なうことができる。
【００３７】
また、本発明にかかるプラントコンテナによれば、止水手段によって横支柱の上方が覆われるので、複数台のプラントコンテナを連結した場合にも、この連結部から雨水等が浸入することを防止することができる。特に、取り付け部が横支柱の上面よりも下方に形成されているので、プラントコンテナを多段積みした場合には、上下のプラントコンテナの横支柱が相互に接触する一方、この取り付け部は押し潰されることがないので、その破損等を防止することができる。
【００３８】
また、本発明にかかるプラントコンテナの連結方法によれば、各プラントコンテナの側壁を取り外し、両者を連結させることができるので、これらの内部空間を連通させて共有することができる。したがって、通路スペースを共有すること等ができ、スペース効率を向上させることができる。また、連結部に止水手段を取り付けることにより、連結部からの雨水等の浸入を防止することができる。
【図面の簡単な説明】
【図１】本実施の形態にかかるプラントコンテナの全体斜視図である。
【図２】図１のプラントコンテナから１枚の側壁を取り外した状態を示す斜視図である。
【図３】プラントコンテナの一隅部の拡大斜視図であり、側壁を取り付けた状態を示す図である。
【図４】プラントコンテナの一隅部の拡大斜視図であり、縦支柱を取り外した状態を示す図である。
【図５】プラントコンテナの一隅部の拡大斜視図であり、側壁を取り外した状態を示す図である。
【図６】プラントコンテナの連結方法を示す概念図である。
【図７】止水構造の縦断面図である。
【符号の説明】
１      プラントコンテナ
２、３  横支柱
４      縦支柱
５      天井部
６      底部
７      （幅狭の）側部
８      （幅広の）側部
１０      側壁
１１      横フレーム
１２      グラスウール板１２
１３      デッキプレート
１４      支持脚
１５      頭部
１６      受け入れ部
１７      スリット
１８      挿入部
１９      ボルト部
２０      固定プレート
２１      ナット
２２      制御機器
２３      通路スペース
２４      シール材
２５      止水プレート
【図１】
0004301701.tif 000002
【図２】
0004301701.tif 000003
【図３】
0004301701.tif 000004
【図４】
0004301701.tif 000005
【図５】
0004301701.tif 000006
【図６】
0004301701.tif 000007
【図７】
0004301701.tif 000008